(57)【特許請求の範囲】
【請求項１】
使用済みの内視鏡が収容される袋と、前記袋が交換可能に収容されるケースと、前記内視鏡を洗浄するための洗浄ユニットと、前記ケースを介して前記袋内の前記内視鏡と前記洗浄ユニットを接続する接続手段とを備えることを特徴とする内視鏡の簡易洗浄システム。
【請求項２】
前記洗浄ユニットの一部または全部は、前記ケースに設けられていることを特徴とする請求項１に記載の内視鏡の簡易洗浄システム。
【請求項３】
前記接続手段は、内視鏡の挿通チャンネルに前記洗浄ユニットからの流体を注入する構成であることを特徴とする請求項１または２に記載の内視鏡の簡易洗浄システム。
【請求項４】
前記内視鏡の固有情報を取得する情報取得手段と、この情報取得手段で得られた固有情報に応じて、前記洗浄ユニットによる洗浄の条件を変更する制御手段とを備えることを特徴とする請求項１ないし３のいずれかに記載の内視鏡の簡易洗浄システム。
【請求項５】
前記情報取得手段は、前記内視鏡に付されたＲＦＩＤタグを読み取るＲＦＩＤタグリーダであることを特徴とする請求項４記載の内視鏡の簡易洗浄システム。
【請求項６】
使用済みの内視鏡が収容される袋と、前記袋が交換可能に収容されるケースと、前記内視鏡を洗浄するための洗浄ユニットと前記袋内の前記内視鏡を、前記ケースを介して接続する接続手段とを備えることを特徴とする内視鏡の簡易洗浄用ケースユニット。
【発明の詳細な説明】
【技術分野】
【０００１】
本発明は、使用済みの内視鏡を簡易洗浄する簡易洗浄システム及び簡易洗浄用ケースユニットに関するものである。
【背景技術】
【０００２】
検査等で使用された内視鏡は、術者等の手によりベッドサイドで簡易的なプレ洗浄が施された後、専用の洗浄消毒装置によって本格的なリプロセス処理として洗浄・消毒（もしくは滅菌）などが施される。リプロセス処理後の内視鏡は、例えば、特許文献１に示す滅菌パッケージに入れられ、再度使用されるときまで清浄状態が保たれる。
【０００３】
上述したようなプレ洗浄が不十分であったり、プレ洗浄とリプロセス処理との間に時間が空いたりした場合、内視鏡の外面に体液や汚物が固着して取れ難くなり、リプロセス処理を施しても洗い落とせない可能性がある。そこで、この問題の解決策として、特許文献２及び３が提案されている。この特許文献２及び３では、内視鏡を収納する搬送ケースのケース本体が、プレ洗浄用の洗浄槽としての機能する。この搬送ケースを用いたプレ洗浄を検査直後に行うことで、内視鏡の汚れを大方落とすことが可能となり、汚れの固着を防ぐことができる。
【０００４】
一方、最近では、病院等からの依頼に応じて、内視鏡をレンタルで使用できるシステムが検討されている。このようなレンタルシステムでは、検査後、使用済みの内視鏡をレンタルセンターで回収し、回収した内視鏡をレンタルセンターの専用の設備で一括してリプロセス処理する。このようなレンタルシステムを考えた場合、病院等からレンタルセンターに内視鏡を回収することになるため、プレ洗浄からリプロセス処理の間は、ある程度の時間が掛かる。よって、このようなレンタルシステムでは、プレ洗浄をより確実に行うことが必要となる。
【特許文献１】特表２００２−５９０９２４号公報
【特許文献２】特許第３０３８０４０号公報
【特許文献３】特開２００７−２６０１２６号公報
【発明の開示】
【発明が解決しようとする課題】
【０００５】
しかしながら、レンタルシステムで上記特許文献２，３記載の搬送ケースを用いた場合、検査直後に、洗浄槽として機能するケース本体の中で使用者がブラシなどを用いて洗浄処理を行うため、手間と時間が掛かっていた。さらに、洗浄処理を行うと、内視鏡に付着していた体液や汚物が、ケース本体の洗浄槽内に残留したままとなる可能性があるため、再使用時には、搬送ケースも入念な洗浄を行う必要があった。また、搬送ケースをどれだけ小型化しても、洗浄処理の際、ケース本体の容積分の洗浄液が必要となる。すなわち、搬送ケースの保守や、用品のコストが掛かる。
【０００６】
あるいは、搬送ケースの代わりに、上記特許文献１記載の滅菌パッケージを洗浄槽として使用し、この滅菌パッケージを使い捨てれば、搬送ケースを使用する場合の問題は解消されることになる。しかしながら、洗浄処理に使用する場合、滅菌パッケージにある程度の耐久性を持たせなければ、破れたり、穴が開くなどして洗浄液が漏れ出してしまうおそれがある。使い捨ての用品である滅菌パッケージに、コスト上昇が見込まれる耐久性等の機能を付加させることはコスト面から見て不利である。
【０００７】
本発明は上記事情を考慮してなされたものであり、低コストで、且つ確実に使用直後の内視鏡を洗浄することができる内視鏡の簡易洗浄システム及び簡易洗浄用ケースユニットを提供することを目的とする。
【課題を解決するための手段】
【０００８】
本発明は、使用済みの内視鏡が収容される袋と、この袋が交換可能に収容されるケースと、前記内視鏡を洗浄するための洗浄ユニットと、前記ケースを介して前記袋内の前記内視鏡と前記洗浄ユニットを接続する接続手段とを備えることを特徴とする。
【０００９】
なお、前記洗浄ユニットの一部または全部は、前記ケースに設けられていることが好ましい。また、前記接続手段は、内視鏡の挿通チャンネルに液を注入する構成であることが好ましい。さらにまた、前記内視鏡の固有情報を取得する情報取得手段と、この情報取得手段で得られた固有情報に応じて、洗浄の条件を変更する制御手段とを備えることが好ましい。
【００１０】
本発明の内視鏡の簡易洗浄用ケースユニットは、使用済みの内視鏡が収容される袋と、袋が交換可能に収容されるケースと、内視鏡を洗浄するための洗浄ユニットと袋内の内視鏡を、ケースを介して接続する接続手段とを備えることを特徴とする。
【発明の効果】
【００１１】
本発明によれば、使用済みの内視鏡が収容される袋を交換可能にケースに収容し、内視鏡を洗浄するための洗浄ユニットと、袋内の内視鏡とをケースを介して接続するので、ケースが汚物で汚染されることがない。また、ケースを洗浄槽とする場合よりも洗浄液などが少なくて済む。さらに袋に耐久性を持たせなくともよい。したがって、低コストで、且つ確実に使用直後の内視鏡を洗浄することが可能となる。
【発明を実施するための最良の形態】
【００１２】
図１において、本発明の内視鏡の簡易洗浄システム１は、内視鏡２を収容する収容袋３と、収容袋３を収容する搬送ケース４とからなり、内視鏡２を収容して搬送するとともに、使用済みの内視鏡２に対して洗浄、消毒、乾燥などの各種処理を施すものである。
【００１３】
搬送ケース４の説明をする前に、先ず図２を用いて内視鏡２の構成を簡単に説明する。内視鏡２は、体腔内に挿入される挿入部１１と、この挿入部１１の基端部に連設された操作部１２と、操作部１２に連設され、プロセッサ装置や送水・送気装置などの外部機器（図示せず）に着脱可能に接続されるユニバーサルコード１３とを備える。挿入部１１は、大半の長さを占める可撓管部１１ａと、可撓管部１１ａに連設される湾曲部１１ｂと、その先端に連設され、体腔内撮影用の固体撮像素子（図示せず）が内蔵された先端部１１ｃとから構成される。
【００１４】
挿入部１１の内部には、送水・送気チャンネル１６、鉗子チャンネル１７が配されており、送水・送気チャンネル１６及び鉗子チャンネル１７は、それぞれ先端部１１ｃに設けられた噴射ノズル１６ａ及び鉗子出口１７ａまで連続している。また、送水・送気チャンネル１６は、ユニバーサルコード１３に接続される。
【００１５】
操作部１２には、送水・送気ボタン１８、吸引ボタン１９、アングルノブ２１、内視鏡２の固有情報が記憶されたＲＦＩＤ（Ｒａｄｉｏ Ｆｒｅｑｕｅｎｃｙ Ｉｄｅｎｔｉｆｉｃａｔｉｏｎ）タグ２２などが設けられている。なお、固有情報としては例えば固有ＩＤや、内視鏡２の機種を示す機種別情報などがＲＦＩＤタグ２２に記憶される。送水・送気ボタン１８の操作に連動して水、エアーが送水・送気装置から送水・送気チャンネル１６へ供給され、噴射ノズル１６ａから噴射される。
【００１６】
さらに操作部１２には、鉗子チャンネル１７に連続する鉗子入口１７ｂが設けられており、鉗子入口１７ｂから挿入された各種処置具は、鉗子チャンネル１７を通って鉗子出口１７ａから突出する。また、鉗子チャンネル１７には、吸引チャンネル２３が連通しており、吸引ボタン１９の操作に連動して吸引動作が行われ、体腔内の不純物などを吸引することができる。送水・送気ボタン１８及び吸引ボタン１９は、着脱自在に取り付けられており、これらのボタン１８，１９を取り外すと、送水・送気チャンネル１６及び吸引チャンネル２３に連続する送水・送気口及び吸引口が露呈する。
【００１７】
また、アングルノブ２１が操作されると、挿入部１１内に挿設されたワイヤが押し引きされることにより、湾曲部１１ｂが上下左右方向に湾曲動作する。これにより、先端部１１ｃが体腔内の所望の方向に向けられる。
【００１８】
図３及び図４に示すように、収容袋３は、滅菌パッケージとして従来より使用されているものと同等品であり、付加機能を特に有するものでは無く、１回限りの使い捨て、または数回程度の使用に耐え得るものであればよい。この収容袋３は、密閉部材５によって密閉される。
【００１９】
密閉部材５は、内視鏡２を収容した収容袋３の開口３ａ（図４参照）を密閉するとともに、後述する洗浄消毒ユニット３５との接続に使用される。図４に示すように、密閉部材５は、開口３ａの幅よりも若干長く形成した２つの板２６ａ，２６ｂと、板２６ａ，２６ｂを締結するための締め具２７とを備える。板２６ａ，２６ｂの互いの接触面には、圧接用のラバー２８が取り付けられ、この接触面には、後述する連結チューブ３９ａ〜３９ｅが挿入される溝２９が設けられている。締め具２７を締めると、板２６ａ，２６ｂに設けられた溝２９が互いに対面し、連結チューブ３９ａ〜３９ｅよりも若干径の小さい円孔状になる。これにより、締め具２７を締めたとき、連結チューブ３９ａ〜３９ｅが溝２９に密着して収容袋３を密閉することができる。
【００２０】
図１に戻って、搬送ケース４は、箱状のケース本体３１と、蓋３２と、この蓋３２をケース本体３１に対して開閉自在に連結するヒンジ部材３３とから構成される。
【００２１】
ケース本体３１には、閉じ状態とした蓋３２と対面する位置に、収容袋３が交換可能に収容される収容部３４、及びその横に洗浄消毒ユニット３５が設けられ、前面に操作パネル３６、表示部３７、ＲＦＩＤタグリーダ３８が設けられている。操作パネル３６は、電源をＯＮ・ＯＦＦする電源スイッチ３６ａや、始動スイッチ３６ｂの他、各種処理に関する設定、指示をするための各種ボタンなどからなる。表示部３７は、例えば液晶表示ユニットからなり、搬送ケース４の動作内容を表示する。表示部３７に表示される動作内容としては、例えば、簡易洗浄処理を行っているときは「洗浄」、「すすぎ」、「消毒」、「保管」などの各工程を示す表示や、各工程の残り時間などが挙げられる。ＲＦＩＤタグリーダ３８は、内視鏡２に埋め込まれたＲＦＩＤタグ２２から内視鏡２の固有ＩＤを読み取る。なお、ケース本体３１には、搬送ケース４を搬送するときに把持する把手４１、蓋３２を閉じ位置でロックするためのロック機構４２などが設けられている。
【００２２】
図３に示すように、洗浄消毒ユニット３５から収容部３４に向けて、連結チューブ３９ａ〜３９ｅが設けられている。これらの連結チューブ３９ａ〜３９ｅを介して洗浄消毒ユニット３５と収容袋３とが繋がれる。連結チューブ３９ａ〜３９ｅのうち、連結チューブ３９ａ〜３９ｃは、内視鏡２の各チャンネル１６、１７、２３にそれぞれ接続され、洗浄消毒ユニット３５から給液される液体を各チャンネル１６、１７、２３に注入する。さらに連結チューブ３９ｄは給液用、連結チューブ３９ｅは循環又は廃液用に使用される。
【００２３】
収容袋３を搬送ケース４にセットする手順は、先ず内視鏡２の送水・送気ボタン１８、吸引ボタン１９を取り外して送水・送気口、吸引口を露呈させ、連結チューブ３９ａ〜３９ｃを内視鏡２の送水・送気口、吸引口、鉗子入口１７ｂにそれぞれ装着して内視鏡２を収容袋３に収容する。次に収容袋３の中に連結チューブ３９ｄ，３９ｅを入れる。そして、図４に示すように、密閉部材５の板２６ａ，２６ｂで収容袋３の開口３ａ付近を挟みつつ連結チューブ３９ａ〜３９ｃを溝２９にはめ込んだ状態で締め具２７を締める。
【００２４】
搬送ケース４の内部構成について図５のブロック図を用いて説明する。搬送ケース４の各部の動作は、制御部４５によって制御されている。制御部４５には、操作パネル３６、表示部３７、ＲＦＩＤタグリーダ３８、メモリ４６及び洗浄消毒ユニット３５が接続されており、操作パネル３６で行われる操作入力に応じて各部を動作させる。洗浄消毒ユニット３５は、洗浄液タンク５０、貯水タンク５１、消毒液タンク５２、廃液タンク５３、ポンプ５４ａ、５４ｂ、弁５５ａ〜５５ｅを備える。
【００２５】
タンク５０〜５３は、搬送ケース４から取り外し可能となっている。ポンプ５４ａは給液ポンプ、５４ｂは廃液ポンプであり、弁５５ａ〜５５ｅは電磁弁で、弁５５ａは四方弁、弁５５ｂ、５５ｄ、５５ｅは三方弁である。洗浄消毒ユニット３５にはさらに、各液体が通過する液路として、洗浄液タンク５０、貯水タンク５１、消毒液タンク５２のそれぞれから弁５５ａ、ポンプ５４ａ、弁５５ｂ、連結チューブ３９ａ〜３９ｄを介して収容袋３に到る給液路５６と、収容袋３から連結チューブ３９ｅ、弁５５ｃ、ポンプ５４ｂ、弁５５ｄ、弁５５ｂ、連結チューブ３９ａ〜３９ｄを介して収容袋３に戻る循環路５７と、循環路５７から弁５５ｄで分岐して、弁５５ｅから消毒液タンク５２に戻る戻し路５８と、廃液タンク５３に到る廃液路５９とがある。
【００２６】
また、メモリ４６には、洗浄を含む各工程の条件、すなわち処理時間、使用する液体の量などに基づき各部を動作させるためのプログラムが記憶されている。このプログラムは、例えば、内視鏡２の固有情報に応じてプログラムＡ，Ｂ，Ｃ・・・と設定されている。このプログラムとしては例えば、内視鏡２の固有情報が、大腸用など汚れが多く付着する可能性の高い内視鏡を示す固有ＩＤや機種別情報の場合、処理時間を長くしたり、挿入部の長い内視鏡の場合は、ポンプ５４ａ，５４ｂの出力を上げたりするように設定されている。
【００２７】
制御部４５は、搬送ケース４の電源がＯＮされたとき、ＲＦＩＤタグリーダ３８を動作させる。ＲＦＩＤタグリーダ３８は、内視鏡２のＲＦＩＤタグ２２が所定の通信距離、例えば数ｍｍの距離内に入ると、ＲＦＩＤタグ２２と交信して固有情報を読み取る。本実施形態では、簡易洗浄処理を行う前に、ＲＦＩＤタグリーダ３８がＲＦＩＤタグ２２から固有情報を読み取り、制御部４５は、そのＲＦＩＤタグ２２に記憶された固有情報に応じてメモリ４６からプログラムを読み出し、このプログラムに沿って各工程を実行する。なお、ＲＦＩＤタグ２２の読み取りが無かった場合は、標準の処理時間や液体の使用量などが設定された標準プログラムで各工程を実行する。
【００２８】
上記構成の作用について説明する。使用済みの内視鏡２を収容袋３に入れるとともに、連結チューブ３９ａ〜３９ｃを繋げて密閉部材５で収容袋３を密閉して搬送ケース４の収容部３４にセットした後、電源スイッチ３６ａをＯＮして簡易洗浄処理の開始が指示されると、制御部４５の制御の下にポンプ５４ａ，５４ｂ、弁５５ａ〜５５ｅ等が作動して洗浄、すすぎ（１回目）、消毒、すすぎ（２回目）、保管の各工程が順次開始される。表１は、これら各工程を行うときのポンプ５４ａ，５４ｂ、弁５５ａ〜５５ｅについての動作パターンの一例を示すものであり、以下、洗浄、すすぎ、消毒、保管の各工程について表１を用いて説明する。
【００２９】
【表１】
0004880571.tif 000002
【００３０】
先ず、洗浄工程を開始するときは、ポンプ５４ａがＯＮとなるとともに、ポンプ５４ｂはＯＦＦとなっており、弁５５ａの洗浄液タンク５０側、貯水タンク５１側及び給液路５６側が開放状態で、消毒液タンク５２側が閉じ状態となる。なお、弁５５ａの洗浄液タンク５０側は、最初は閉じ状態で、貯水タンク５１から水が流れ始めた後、短時間だけ洗浄液タンク５０側も開放状態となり、洗浄液を少し流して閉じ状態となる。また、弁５５ｂの給液路５６側が開放状態で、循環路５７側が閉じ状態となり、弁５５ｃは閉じ状態、さらに弁５５ｄ，５５ｅは全閉状態となる。これによって、洗浄液タンク５０及び貯水タンク５１から給液路５６を通って洗浄液及び水が、各連結チューブ３９ａ〜３９ｄを介して各チャンネル１６，２３，１７及び収容袋３へと供給される。
【００３１】
収容袋３の中がほぼ満たされるまで洗浄液及び水が所定時間供給された後、制御部４５は洗浄液及び水を循環させる制御を行う。この場合、ポンプ５４ａがＯＦＦとなるとともにポンプ５４ｂがＯＮ、弁５５ａが全閉状態、弁５５ｂは給液路５６側が閉じ状態で循環路５７側が開放状態となり、弁５５ｃは開放状態、弁５５ｄは、循環路５７側が開放状態で、廃液路５９側が閉じ状態となり、弁５５ｅは全閉状態となる。これによって、ポンプ５４ｂで連結チューブ３９ｅから収納袋３内の洗浄液及び水が吸引されるともに、吸引された洗浄液及び水が循環路５７を通って再度連結チューブ３９ａ〜３９ｄへと送り込まれるので、各チャンネル１６，２３，１７内及び内視鏡２の外面を洗浄液及び水が循環して内視鏡２が効率良く洗浄される。また、洗浄液と水とが、ムラなく混合される。
【００３２】
そして、洗浄液及び水が所定時間循環されると、制御部４５は、洗浄液及び水を廃液させる制御を行う。この場合、弁５５ｂを全閉状態、弁５５ｄを廃液路５９側が開放状態で循環路５７側が閉じ状態とし、弁５５ｅは戻し路５８側が閉じ状態で廃液路５９側が開放状態となるように切り替え制御が行われる。これによって、ポンプ５４ｂで連結チューブ３９ｅから吸引された洗浄液及び水が廃液路５９を通って廃液タンク５３へと廃液される。この廃液を行うとき、収容袋３内のほぼ全ての洗浄液及び水が無くなるまで吸引される。
【００３３】
なお、表１において、すすぎ工程は、弁５５ａの洗浄液タンク５０側が常に閉じ状態となること以外は、洗浄工程と同様であるため、すすぎ工程の動作パターンの記載を省略している。そして、洗浄工程の終了後、すすぎ工程（１回目）では、貯水タンク５１から水が収容袋３へと供給され、循環し、廃液されるため、各チャンネル１６，２３，１７内及び内視鏡２の外面に残留した体液や汚物、及び洗浄液が水ですすがれる。
【００３４】
すすぎ工程（１回目）が終了すると、次は消毒工程となる。制御部４５は、消毒工程が開始されるとき、弁５５ａの消毒液タンク５２側及び給液路５６側が開放状態で、その他のタンク５１、５２側が閉じ状態となる以外は、洗浄工程を開始するときと同じ動作パターンで制御を行う。これによって、消毒液タンク５２から給液路５６を通って消毒液が各連結チューブ３９ａ〜３９ｄへと送り込まれる。
【００３５】
収容袋３の中がほぼ満たされるまで消毒液が所定時間供給された後、制御部４５は消毒液に内視鏡２を浸漬させる制御を行う。この場合、ポンプ５４ａ，５４ｂがともにＯＦＦ、弁５５ａ，５５ｂ，５５ｄ，５５ｅが全閉状態、弁５５ｃは閉じ状態となる。これにより、収容袋３の中に消毒液が貯留された状態が保持され、消毒液内に浸漬された内視鏡２を消毒することができる。
【００３６】
そして、消毒液に内視鏡２を所定時間浸漬させると、制御部４５は消毒液を消毒液タンク５２に戻す制御を行う。この場合、消毒液に浸漬させるときに対して、ポンプ５４ｂがＯＮ、弁５５ｃが開放状態、弁５５ｄの廃液路５９側が開放状態で循環路５７側が閉じ状態となり、弁５５ｅは戻し路５８側が開放状態で廃液路５９側が閉じ状態となるように切り替え制御が行われる。これによって、ポンプ５４ｂで連結チューブ３９ｅから吸引された消毒液が廃液路５９及び戻し路５８を通って消毒液タンク５２へと戻される。この消毒液の戻しを行うとき、収容袋３内のほぼ全ての消毒液が無くなるまで吸引される。
【００３７】
消毒工程終了後は、すすぎ工程（２回目）となり、上述した動作パターンと同様に制御され、各チャンネル内及び内視鏡２の外面に残留した消毒液が水ですすがれる。
【００３８】
消毒工程後のすすぎ工程（２回目）が終了すると、収容袋３に水を貯留して内視鏡を浸漬させる保管工程となる。制御部４５は、保管工程が開始されるとき、弁５５ａが貯水タンク５１側及び給液路５６側が開放状態で、その他のタンク５０、５２側が閉じ状態となる以外は、洗浄・消毒工程を開始するときと同じ動作パターンで制御を行う。これによって、貯水タンク５１から給液路５６を通って各連結チューブ３９ａ〜３９ｄへと水が送られる。
【００３９】
収容袋３の中がほぼ満たされるまで水が所定時間供給された後、制御部４５は水中に内視鏡２を浸漬させる制御を行う。この場合、ポンプ５４ａ，５４ｂがともにＯＦＦ、弁５５ａ，５５ｂ，５５ｄ，５５ｅが全閉状態、弁５５ｃは閉じ状態となる。これにより、収容袋３の中に水が貯留された状態が保持され、内視鏡２が水中に浸漬された状態で保管される。この状態で、内視鏡２は、搬送ケース４内に収容されたまま搬送され、専用設備の整ったレンタルセンターなどでリプロセス処理が施される。
【００４０】
上述したように、簡易洗浄システム１を使用することによって、使用直後の内視鏡２の洗浄工程、すすぎ工程、消毒工程、及び保管工程からなる簡易洗浄処理を確実に行うことが可能となる。さらにこれら全ての工程で使用される液体は、収容袋３の中だけに供給されるため、搬送ケース自体を洗浄槽として使用する場合に比べて各液体の使用量を削減することが可能となるとともに、搬送ケース４を洗浄する必要が無くなる。また、各液体の使用量の削減に加えて安価で使い捨て可能な収容袋３を用いることができるので、プレ洗浄のコスト低減を図ることが可能となり、且つ使用者の負担を減らすことができるから、内視鏡２をレンタルサービスで使用する際の利便性が向上する。さらに、内視鏡２のプレ洗浄を十分に行い、水が貯留された収容袋３の中に内視鏡２が浸漬された状態で保管されるので、プレ洗浄後、リプロセス処理が行われるまでの間に、ある程度の時間が経過していても、内視鏡２に体液や汚物が固着することが無く、さらにリプロセス処理を行うことで確実に汚れを落とすことが可能となる。
【００４１】
なお、上記実施形態においては、収容袋３と別体の密閉部材５を用いて、収容袋３の開口３ａを密閉するとともに連結チューブ３９ａ〜３９ｄを挟み込んでいるが、本発明はこれに限らず、図６に示すように、密閉部材７１を一体化した収容袋７０を用いてもよい。密閉部材７１としては、収容袋７０の開口部を密閉できる構成であればよく、例えば、周知のファスナー形状のものや、粘着テープなどからなる。そして、この場合、洗浄消毒ユニット３５と収容袋７０との接続は、連結チューブ３９ａ〜３９ｅを一つにまとめ、互いに着脱自在としたハーネス７２，７３を洗浄消毒ユニット３５と、収容袋７０にそれぞれ設け、これらのハーネス７２，７３を接続することで、連結チューブ３９ａ〜３９ｅが洗浄消毒ユニット３５と収容袋７０との間で繋がる構成とする。
【００４２】
また、密閉部材を使用しない構成としてもよく、この場合、図７に示すように、搬送ケース４の収容部３４の底面３４ａに、洗浄消毒ユニット３５に隣接する位置から徐々に下方へ傾斜する傾斜面３４ｂを形成する。また、この傾斜面３４ｂの上部にフック８１を設け、収容袋８０にフック８１に係止されるフック穴８２を形成する。そして、収容袋８０を搬送ケース４にセットするときは、連結チューブ３９ａ〜３９ｃを各チャンネル１６，２３，１７に接続するとともに、収容袋の中に内視鏡２を入れた状態として、フック穴８２をフック８１に係止させる。これにより、内視鏡２は、傾斜面３４ｂの高さ方向に対して下方に位置し、収容袋８０の開口部８０ａは上方に位置する。そして、収容袋８０に供給する液体の水位を傾斜面３４ｂの途中までにすることで、開口部８０ａから液体が飛散したり、漏れたりすることが無いので、収容袋８０を密閉しなくても簡易洗浄処理の各工程を行うことができる。
【００４３】
上記実施形態においては、洗浄消毒ユニット３５の全部、またはタンク５０〜５３を除く部分が、搬送ケース４に設けられている例を挙げているが、これに限らず、別体に設けた洗浄消毒ユニットを搬送ケースに対して着脱自在とし、使用済みの内視鏡に簡易洗浄処理を施すときは、搬送ケースに洗浄消毒ユニットを取り付け、上記実施形態と同様に、収容袋と洗浄消毒ユニットとを繋ぐとともに連結チューブを介して洗浄消毒ユニットと内視鏡の各チャンネルとを接続し、洗浄、すすぎ、消毒、保管などの各工程を行うようにしてもよい。
【００４４】
なお、上記実施形態においては、洗浄消毒ユニット３５は洗浄、消毒、すすぎ、保管の各工程を行う機能を有しているが、これに限らず、収納袋の中のエアーを循環させる乾燥工程や、各チャンネルにアルコール類を少量注入するとともに、エアーを循環させて乾燥させるアルコールフラッシュと呼ばれる工程、収納袋内に滅菌ガスを噴射させる滅菌工程などの機能を備えていてもよい。
【００４５】
また、上記実施形態においては、固体撮像素子を用いて被検体の状態を撮像した画像を観察する電子内視鏡を例に上げて説明しているが、本発明はこれに限るものではなく、光学的イメージガイドを採用して被検体の状態を観察する内視鏡（ファイバースコープ）の簡易洗浄システムにも適用することができる。
【図面の簡単な説明】
【００４６】
【図１】本発明の内視鏡の簡易洗浄システムの外観斜視図である。
【図２】電子内視鏡の構成を示す平面図である。
【図３】収容袋及び洗浄消毒ユニット周辺の構成を示す平面図である。
【図４】収容袋を洗浄消毒ユニットに接続するときの状態を示す斜視図である。
【図５】簡易洗浄システムの電気的構成を示すブロック図である。
【図６】図３に示すものとは別の実施例を示す平面図である。
【図７】図３及び図６に示すものとは別の実施例を示す側面図である。
【符号の説明】
【００４７】
１  内視鏡用簡易洗浄システム
２  内視鏡
３  収納袋
４  搬送ケース
３５  洗浄消毒ユニット
３９ａ〜３９ｅ  連結チューブ
【図１】
0004880571.tif 000003
【図２】
0004880571.tif 000004
【図３】
0004880571.tif 000005
【図４】
0004880571.tif 000006
【図５】
0004880571.tif 000007
【図６】
0004880571.tif 000008
【図７】
0004880571.tif 000009